(57)【要約】      （修正有）【課題】締付帯の先端側が巻取軸の周囲に巻き取られても、緊締枠本体から飛び出るのを回避して、たとえば歩行者などの安全度を高めた締付帯の緊締金具を提供する。【解決手段】底板２０の一端部に締付帯５の基端部５Ｘを固定する緊締枠本体２と、緊締枠本体２の一対の側板２１に軸線回りの回動を可能に架設され、回動操作頭部３０と隙間３２を設けた巻取軸３と、緊締枠本体２と巻取軸３との間に介設されて、巻取軸３を回動操作頭部３０側から見て時計回り（矢印Ｒ）の回動を許容し反時計回りの回動を規制する一方向クラッチ機構６とを備えて締付帯の緊締金具１を構成する。さらに、緊締枠本体２の一端部２０Ｘを巻取軸３の時計回り回動方向の退角側に設定し、緊締枠本体２の先端部２０Ｙを巻取軸の時計回り回動方向の進角側に設定する。【選択図】図９
0003160434.tif 000002
【実用新案登録請求の範囲】
【請求項１】
底板の幅方向両端から立ち上がって互いに対向する一対の側板を有し、前記底板の一端部に締付帯の基端部が固定される緊締枠本体と、
前記一対の側板に水平軸線回りの回動を可能に架設され、かつ前記軸線方向の一端に回動操作頭部が設けられているとともに、前記締付帯の挿通を許容する隙間が前記軸線方向に沿って半径方向に貫通形成されている巻取軸と、
前記緊締枠本体と巻取軸との間に介設されて、該巻取軸を前記回動操作頭部側から見て時計回りの回動を許容し反時計回りの回動を規制する一方向クラッチ機構とを備え、
前記締付帯の先端を前記底板の先端部側から巻取軸の隙間に挿通して該底板の一端部側に露出させた状態で前記回動操作頭部を時計回りに回動して、締付帯の先端側を巻取軸の周囲に巻回して構築物を緊締する締付帯の緊締金具において、
緊締枠本体の一端部が巻取軸の時計回り回動方向の退角側に設定され、緊締枠本体の先端部が巻取軸の時計回り回動方向の進角側に設定されてなることを特徴とする締付帯の緊締金具。
【請求項２】
請求項１に記載した緊締金具において、
前記底板の先端部の幅方向の少なくとも一方に、底板側に折り曲げられて締付帯の先端部を押圧して覆う押圧片が立設されている締付帯の緊締金具。
【請求項３】
請求項１に記載した緊締金具において、
前記底板は、前記構築物の曲率外周面に密接または略密接可能な曲率半径の円弧状に形成されている締付帯の緊締金具。
【考案の詳細な説明】
【技術分野】
【０００１】
本考案は締付帯の緊締金具に係り、より詳しくは、電柱などの構築物に、構築物の所有、管理の関係を示す表示、取り扱いに関する注意、広告などを記載した板を取り付けるために、これらの板に巻回される締付帯を緊締するための締付帯の緊締金具に関する。
【背景技術】
【０００２】
従来、締付帯の緊締金具として特許文献１に記載のものが提案されている。この締付帯の緊締金具を図１１，図１２に示す。これらの図において、締付帯の緊締金具５０は、ステンレス鋼板製の緊締枠本体５１と、ステンレス製の巻取軸５２と、後述するステンレス細線を幅方向両端部に内蔵した樹脂製の締付帯５３とを備える。
【０００３】
緊締枠本体５１は、底板５１ａの幅方向両端から立ち上がって互いに対向する一対の側板５１ｂ，５１ｃを有し、底板５１ａの一端部５１Ｘに締付帯５３の基端部５３Ｘが固定され、底板５１ａの先端部５１Ｙには、幅方向両端から少し立ち上がって互いに対向する一対のガイド片５１ｄ，５１ｅが形成されている。また、巻取軸５２は、一対の側板５１ｂ，５１ｃを貫通して該側板５１ｂ，５１ｃに水平軸線Ｃ回りの回動を可能に、かつ水平軸線Ｃ方向の進退を不能に架設されており、巻取軸５２の水平軸線Ｃ方向の進退は、巻取軸５２の軸線Ｃ方向の一端に形成した回動操作頭部５２ａが側板５１ｂの表面に密着している座金５４ａに干渉し、巻取軸５２の軸線Ｃ方向の他端に形成した外突縁５２ｂが側板５１ｃの表面に密着している座金５４ｂに干渉することで不能に拘束されている。さらに、巻取軸５２には、締付帯５３の挿通を許容する隙間５５が軸線Ｃ方向に沿って半径方向に貫通形成されている。なお、座金５４ａ，５４ｂは、巻取軸５２と同時に回転し得るように巻取軸５２に組み付けられている。
【０００４】
一方、緊締枠本体５１と巻取軸５２との間に一方向クラッチ機構５６が介設される。この一方向クラッチ機構５６は、巻取軸５２を回動操作頭部５２ａ側から見て時計回り（矢印Ｒ）の回動を許容し、反時計回りの回動を規制するためのもので、一対の側板５１ｂ，５１ｃに円周方向等間隔で形成した複数の係止孔５７（ただし、図１１において側板５１ｂに形成した複数の係止孔５７のみを示している）と、各座金５４ａ，５４ｂに形成されて前記係止孔５７に係合または摺動する一対の係止爪５８（ただし、図１１において座金５４ａに形成した一対の係止爪５８のみを示している）とで構成されている。つまり、巻取軸５２を回動操作頭部５２ａ側から見て時計回り（矢印Ｒ）に回動した場合は、一対の係止爪５８は各係止孔５７に対して摺動して巻取軸５２の時計回り（矢印Ｒ）の回動を許容し、巻取軸５２を回動操作頭部５２ａ側から見て反時計回りに回動した場合は、一対の係止爪５８は各係止孔５７のいずれかに係合して、巻取軸５２の反時計回りの回動を規制する。
【０００５】
前記構成の締付帯の緊締金具５０によれば、電柱などの構築物５９に巻回した板６０の周囲に締付帯５３を巻回して適当な長さに切断し、その先端部５３Ｙを底板５１ａの先端部５１Ｙ側から巻取軸５２の隙間５５に挿通して、先端部５３Ｙ側を底板５１ａの一端部５１Ｘ側に露出させる。つぎに、巻取軸５２の回動操作頭部５２ａをペンチなどの工具で挟むか、あるいは回動操作頭部５２ａ内にドライバーの軸部を挿通して巻取軸５２を回動操作頭部５２ａ側から見て時計回り（矢印Ｒ）に回動すると、締付帯５３の先端部５３Ｙ側が巻取軸５２の周囲に巻き取られて締付帯５３は次第に緊締する。これにより、締付帯５３は板６０を電柱などの構築物５９に締付け固定する。
【先行技術文献】
【特許文献】
【０００６】
【特許文献１】実公平４−１２５３１号公報
【考案の概要】
【考案が解決しようとする課題】
【０００７】
ここで、前記従来の締付帯の緊締金具５０において、締付帯５３の先端部５３Ｙ側を底板５１ａの先端部５１Ｙ側から巻取軸５２の隙間５５に挿通した初期の状態から、巻取軸５２を回動操作頭部５２ａ側から見て時計回り（矢印Ｒ）に回動して締付帯５３の先端部５３Ｙ側が巻取軸５２の周囲に巻き取られる場合の挙動を説明する。
【０００８】
まず、図１３（ａ）に示すように、適当な長さに切断した締付帯５３の先端部５３Ｙ側を底板５１ａの先端部５１Ｙ側から巻取軸５２の隙間５５に挿通して、底板５１ａの一端部５１Ｘ側に露出させる。つぎに、巻取軸５２を回動操作頭部５２ａ側から見て時計回り（矢印Ｒ）に９０度回動すると、図１３（ｂ）に示すように、先端部５３Ｙ側における隙間５５に近い部位５３ｃが底板５１ａの表面に干渉して反時計回りに折り曲げられ、この折り曲げに伴って先端部５３Ｙ側は底板５１ａ、板６および構築物５９の表面から離れる斜め上方に反り返り、底板５１ａから離れて一対の側板５１ｂ，５１ｃ（ただし、図１３（ｂ）には側板５１ｃのみが示されている）の外側に飛び出ることになる。
【０００９】
さらに、巻取軸５２を回動操作頭部５２ａ側から見て時計回り（矢印Ｒ）に９０度回動すると、図１３（ｃ）に示すように、前記隙間５５に近い部位５３ｃと先端部５３Ｙとの間５３ｄが底板５１ａの表面に干渉して反時計回りに折り曲げられ、この折り曲げに伴って先端部５３Ｙ側はさらに底板５１ａ、板６および構築物５９の表面から離れる斜め上方に大きく反り返り、底板５１ａから大きく離れて一対の側板５１ｂ，５１ｃ（ただし、図１３（ｃ）には側板５１ｃのみが示されている）の外側に飛び出ることになる。
【００１０】
すなわち、前記従来の締付帯の緊締金具５０では、緊締枠本体５１の一端部、つまり、底板５１ａの一端部５１Ｘが巻取軸５２の時計回り（矢印Ｒ）回動方向の回動角進角側に設定され、緊締枠本体５１の先端部、つまり、底板５１ａの先端部５１Ｙが巻取軸５２の時計回り（矢印Ｒ）回動方向の回動角退角側に設定されているので、締付帯５３の先端部５３Ｙ側が巻取軸５２の周囲に巻き取られることで、図１３（ｃ）に示すように、先端部５３Ｙ側が一対の側板５１ｂ，５１ｃの外側に飛び出る。
【００１１】
ところで、締付帯５３には、その幅方向両端部に長手方向にのびるステンレス細線５３ａが内蔵されている。このような構造の締付帯５３であると、緊締強度を増大させて強固な緊締を確保することができる利点を有している反面、ステンレス細線５３ａの先端部が図１３（ｂ），１３（ｃ）のように露出し、露出したステンレス細線５３ａの先端部が一対の側板５１ｂ，５１ｃの外側に飛び出た状態で保持されていると、たとえば歩行者の手や衣服などに引っ掛かって、手や衣服などを損傷させるおそれを有する。
【００１２】
本考案は上記の実情に鑑みてなされたものであって、締付帯の先端側が巻取軸の周囲に巻き取られても、緊締枠本体から飛び出るのを回避して、たとえば歩行者などの安全度を高めた締付帯の緊締金具の提供を目的とするものである。
【課題を解決するための手段】
【００１３】
前記目的を達成するために、本考案に係る締付帯の緊締金具は、底板の幅方向両端から立ち上がって互いに対向する一対の側板を有し、前記底板の一端部に締付帯の基端部が固定される緊締枠本体と、
前記一対の側板に水平軸線回りの回動を可能に架設され、かつ前記軸線方向の一端に回動操作頭部が設けられているとともに、前記締付帯の挿通を許容する隙間が前記軸線方向に沿って半径方向に貫通形成されている巻取軸と、
前記緊締枠本体と巻取軸との間に介設されて、該巻取軸を前記回動操作頭部側から見て時計回りの回動を許容し反時計回りの回動を規制する一方向クラッチ機構とを備え、
前記締付帯の先端を前記底板の先端部側から巻取軸の隙間に挿通して該底板の一端部側に露出させた状態で前記回動操作頭部を時計回りに回動して、締付帯の先端側を巻取軸の周囲に巻回して構築物を緊締する締付帯の緊締金具において、
緊締枠本体の一端部が巻取軸の時計回り回動方向の回動角退角側に設定され、緊締枠本体の先端部が巻取軸の時計回り回動方向の回動角進角側に設定されてなることを特徴としている。
【００１４】
前記構成の締付帯の緊締金具によれば、緊締枠本体の一端部が巻取軸の時計回り回動方向の回動角退角側に設定され、緊締枠本体の先端部が巻取軸の時計回り回動方向の回動角進角側に設定されてなることにより、締付帯の先端側が巻取軸の周囲に巻き取られることで、該先端側が底板側に折り曲げられて該底板に接近することになる。したがって、締付帯の先端から一対のステンレス細線の先端部が露出していても、たとえば歩行者の手や衣服などにステンレス細線の先端露出部が引っ掛からないので、安全度を高めることができる。
【００１５】
また、本考案に係る締付帯の緊締金具は、前記底板の先端部の幅方向の少なくとも一方に、底板側に折り曲げられて締付帯の先端部を押圧して覆う押圧片を立設することが望ましい。これによると、押圧片により締付帯の先端部を押圧して覆うことができるので、安全度をより一層高めることができる。
【００１６】
さらに、本考案に係る締付帯の緊締金具は、前記底板を、前記構築物の曲率外周面に密接または略密接可能な曲率半径の円弧状に形成することが望ましい。これによると、構築物の曲率外周面に対する底板のフィット性がよくなるので、締付帯により構築物をガタツクことなく強固に緊締することが可能となる。
【考案の効果】
【００１７】
本考案に係る締付帯の緊締金具は、緊締枠本体の一端部が巻取軸の時計回り回動方向の回動角退角側に設定され、緊締枠本体の先端部が巻取軸の時計回り回動方向の回動角進角側に設定されてなることにより、締付帯の先端側が巻取軸の周囲に巻き取られても、締付帯の先端が緊締枠本体から飛び出るのを回避できるので、締付帯の先端から一対のステンレス細線の先端部が露出していても、たとえば歩行者の手や衣服などにステンレス細線の先端露出部が引っ掛かることはない。したがって、安全度を高めることができる。
【図面の簡単な説明】
【００１８】
【図１】本考案に係る締付帯の緊締金具の一実施形態を示す正面図である。
【図２】図１の平面図である。
【図３】押圧片の右側面図である。
【図４】緊締枠本体の一実施形態を示す正面図である。
【図５】巻取軸の一実施形態を示す側面図である。
【図６】図５の平面図である。
【図７】座金の一実施形態を示す正面図である。
【図８】図７の平面図である。
【図９】締付帯の緊締金具の取付初期状態の一例を示す部分断面図である。
【図１０】図１０（ａ）〜図１０（ｃ）は、本考案に係る締付帯の先端部側が巻取軸の周囲に巻き取られる挙動の説明図である。
【図１１】従来例の正面図である。
【図１２】図１１の平面図である。
【図１３】図１３（ａ）〜図１３（ｃ）は、従来例による締付帯の先端部側が巻取軸の周囲に巻き取られる挙動の説明図である。
【考案を実施するための形態】
【実施例】
【００１９】
以下、本考案に係る締付帯の緊締金具の好ましい実施形態を図面に基づいて説明する。
図１は本考案に係る締付帯の緊締金具の一実施形態を示す正面図、図２は図１の平面図、図３は押圧片の右側面図、図４は緊締枠本体の正面図、図５は巻取軸の一実施形態を示す側面図、図６は図５の平面図、図７は座金の一実施形態を示す正面図、図８は図７の平面図である。
【００２０】
これらの図において、締付帯の緊締金具１は、ステンレス鋼板製の緊締枠本体２と、ステンレス製の巻取軸３と、一対の座金４０Ａ，４０Ｂと、樹脂製の締付帯５とを備え、該締付帯５には、その幅方向両端部に後述するステンレス細線が長手方向にのびて内蔵されている。
【００２１】
図１，図２，図４において、緊締枠本体２は、底板２０の幅方向両端から立ち上がって互いに対向する一対の側板２１，２２を有し、各側板２１，２２の中心部に円形の透孔２３が設けられ、これら透孔２３の外周縁部には、該透孔２３と同心の円周上に所定の間隔を隔てて複数個の扇形の係止孔２４が穿設されている。また、底板２０は、後述する構築物の曲率外周面に密接または略密接可能な曲率半径ｒの円弧状に形成されており、その一端部２０Ｘには長手方向に直交して平行する一対の締付帯取付孔２６ａ，２６ｂが貫通形成されているとともに、底板２０の先端部２０Ｙにおける幅方向の両端に、該底板２０側に折り曲げられて締付帯５の後述する先端部を押圧して覆う一対の押圧片２７が立設されている。
【００２２】
図１，図２，図５，図６に示すように、本実施形態の巻取軸３は、細長いステンレス鋼板を塑性変形させた割りピン状のもので、軸線Ｃ方向の一端に設けた略環状の回動操作頭部３０と、この回動操作頭部３０に連設されて軸線Ｃ方向にのび、かつ先端に向かうにしたがって若干拡開して互いに対向する一対の脚部３１ａ，３１ｂとを備えている。そして、両脚部３１ａ，３１ｂの間を締付帯５の挿通を許容する隙間３２として機能させるとともに、両脚部３１ａ，３１ｂの先端外周に突縁３３が周設されている。なお、両脚部３１ａ，３１ｂの断面形状は円弧状にしてある。
【００２３】
図７，図８は、図２に示されている一対の座金４０Ａ，４０Ｂにおける一方の座金４０Ａを示している。図７，図８において、一方の座金４０Ａは、円形のステンレス鋼板の中心に緊締枠本体２の円形の透孔２３と同径の円の中心に細幅の連結部４１を残して２個の半月状の巻取軸挿通孔４２ａ，４２ｂが穿設され、周縁部には、図７において反時計回りで裏側に向かって斜めに切り起こされて緊締枠本体２の複数個の扇形の係止孔２４に係脱する一対の係止爪４３が形成されている。なお、他方の座金４０Ｂは一方の座金４０Ａと面対称である。
【００２４】
つぎに、前記緊締枠本体２と、巻取軸３と、一対の座金４０Ａ，４０Ｂおおよび締付帯５とを備えた締付帯の緊締金具１の組立手順を説明する。
【００２５】
まず、巻取軸３の一対の脚部３１ａ，３１ｂに一方の座金４０Ａを組み付ける。この組み付けは、一方の座金４０Ａの裏側を巻取軸３の一対の脚部３１ａ，３１ｂの先端側に向けた状態で、一方の巻取軸挿通孔４２ａに一方の脚部３１ａを挿通し、他方の巻取軸挿通孔４２ｂに他方の脚部３１ｂを挿通することによってなされる。
【００２６】
つづいて、巻取軸３の一対の脚部３１ａ，３１ｂを緊締枠本体２の両側板２１，２２に設けられている透孔２３に挿通する。一対の脚部３１ａ，３１ｂの挿通は、一方の側板２１側から他方の側板２２側に向けてなされ、各脚部３１ａ，３１ｂの先端部は他方の側板２２から僅かに突出する。この僅かに突出している各脚部３１ａ，３１ｂの先端部に他方の座金４０Ｂを組み付ける。
【００２７】
他方の座金４０Ｂの組み付けは、他方の座金４０Ｂの裏側を巻取軸３の回動操作頭部３０側に向けた状態で、一方の巻取軸挿通孔４２ａに他方の脚部３１ｂを挿通し、他方の巻取軸挿通孔４２ｂに一方の脚部３１ａを挿通することによってなされる。これにより、若干拡開していた一対の脚部３１ａ，３１ｂは平行となり、両脚部３１ａ，３１ｂの先端外周に周設されている突縁３３が他方の座金４０Ｂの両巻取軸挿通孔４２ａ，４２ｂの外周縁部に係合されることで、緊締枠本体２と、巻取軸３および一対の座金４０Ａ，４０Ｂの３者は一体に結合されるとともに、この結合により緊締枠本体２と巻取軸３との間に一方向クラッチ機構６が介設されることになる。
【００２８】
図１，図９に示すように、一方向クラッチ機構６は、緊締枠本体２と、巻取軸３および一対の座金４０Ａ，４０Ｂの３者が一体に結合された場合に、一方の座金４０Ａの周縁部に形成されている一対の係止爪４３が緊締枠本体２の一方の側板２１に穿設した複数個の扇形の係止孔２４のいずれかに係合し、かつ他方の座金４０Ｂの周縁部に形成されている一対の係止爪４３が緊締枠本体２の他方の側板２２に穿設した複数個の扇形の係止孔２４のいずれかに係合することによって緊締枠本体２と巻取軸３との間に介設される。つまり、一方向クラッチ機構６は、緊締枠本体２側の複数個の扇形の係止孔２４と両座金４０Ａ，４０Ｂ側の一対の係止爪４３とで構成されてなり、巻取軸３を回動操作頭部３０側から見て時計回り（矢印Ｒ）の回動を許容し、反時計回りの回動を規制するように働く。したがって、締付帯の緊締金具１は、緊締枠本体２の一端部、つまり底板２０の一端部２０Ｘを巻取軸３の時計回り（矢印Ｒ）回動方向の回動角退角側に設定し、緊締枠本体２の先端部、つまり底板２０の先端部２０Ｙを巻取軸３の時計回り（矢印Ｒ）回動方向の回動角進角側に設定した構造になる。
【００２９】
一方、締付帯５の基端部５Ｘ側を底板２０の一対の締付帯取付孔２６ａ，２６ｂに挿通して折曲することで部分的に積層し、この積層部分に樹脂製の筒体７を外嵌することで底板２０の一端部２０Ｘに締付帯５の基端部５Ｘが固定されることになる。
【００３０】
前記構成の締付帯の緊締金具１によれば、図９に示すように、電柱などの構築物８に巻回した板９の周囲に締付帯５を巻回して適当な長さに切断し、その先端部５Ｙを底板２０の先端部２０Ｙ側から巻取軸３の隙間３２に挿通して底板２０の一端部２０Ｘ側に露出させる。つぎに、巻取軸３の回動操作頭部３０をペンチなどの工具で挟むか、あるいは回動操作頭部３０内にドライバーの軸部を挿通して、該巻取軸３を回動操作頭部３０側から見て時計回り（矢印Ｒ）に回動すると、締付帯５の先端部５Ｙ側が巻取軸３の周囲に巻き取られて締付帯５は次第に緊締する。これにより、締付帯５は板９を電柱などの構築物８に締付け固定する。
【００３１】
ここで、締付帯５の先端５Ｙ側を底板２０の先端部２０Ｙ側から巻取軸３の隙間３２に挿通した初期の状態から、巻取軸３を回動操作頭部３０側から見て時計回り（矢印Ｒ）に回動して締付帯５の先端部５Ｙ側が巻取軸３の周囲に巻き取られる場合の挙動を説明する。
【００３２】
まず、図１０（ａ）に示すように、適当な長さに切断した締付帯５の先端部５Ｙ側を底板２０の先端部２０Ｙ側から巻取軸３の隙間３２に挿通して、底板２０の一端部２０Ｘ側に露出させる。つぎに、巻取軸３を回動操作頭部３０側から見て時計回り（矢印Ｒ）に９０度回動する。これにより、図１０（ｂ）に示すように、先端部５Ｙ側は時計回りに折り曲げられて、一旦、略鉛直方向に立ち上がった状態になる。
【００３３】
さらに、巻取軸３を回動操作頭部３０側から見て時計回り（矢印Ｒ）に１８０度回動すると、前記略鉛直方向に立ち上がった先端部５Ｙ側は、図１０（ｃ）に示すように、底板２０側に折り曲げられて該先端部５Ｙに後続する部位５Ｚの上面に積層されて底板２０に接近することになる。したがって、締付帯５の先端から一対のステンレス細線５ａの先端部が露出していても、たとえば歩行者の手や衣服などにステンレス細線５ａの先端露出部が引っ掛からないので、安全度を高めることができる。
【００３４】
図３に示すように、本考案に係る締付帯の緊締金具１は、緊締枠本体２の底板２０の先端部２０Ｙにおける幅方向の両端に、該底板２０側に折り曲げられて締付帯５を挟着する一対の押圧片２７が立設されているので、二点鎖線で示すように、両押圧片２７を折り曲げて、締付帯５の先端部５Ｙを隠蔽できる。詳しくは、先端部５Ｙに後続する部位５Ｚの上面に積層されている先端部５Ｙを隠蔽できるので、安全度をより一層高めることができる。なお、押圧片２７は、底板２０の先端部２０Ｙの幅方向の少なくとも一方のみに折り曲げ可能に立設した構成であってもよい。
【００３５】
また、本考案に係る締付帯の緊締金具１は、緊締枠本体２の底板２０を、前記電柱などの構築物８の曲率外周面に密接または略密接可能な曲率半径ｒの円弧状に形成されているので、より詳しくは、構築物８に巻回した板９の曲率外周面に密接または略密接可能な曲率半径ｒの円弧状に形成されているので、板９の曲率外周面に対する底板２０のフィット性がよくなる。したがって、締付帯５により板９および構築物８をガタツクことなく強固に緊締することが可能となる。
【産業上の利用可能性】
【００３６】
締付帯の緊締金具１は、電柱などの構築物８に、構築物８の所有、管理の関係を示す表示、取り扱いに関する注意、広告などを記載した板９を取り付けるために、これらの板９に巻回される締付帯５を緊締するために利用される。
【符号の説明】
【００３７】
１  締付帯の緊締金具
２  緊締枠本体
３  巻取軸
５  締付帯
５Ｘ  締付帯の基端部
５Ｙ  締付帯の先端部
６  一方向クラッチ機構
８  電柱などの構築物（構築物）
９  板（構築物）
２０  緊締枠本体の底板
２０Ｘ  底板の一端部
２０Ｙ  底板の先端部
２１  緊締枠本体の一方の側板
２２  緊締枠本体の他方の側板
２７  押圧片
３０  巻取軸の回動操作頭部
３２  巻取軸の隙間
Ｃ  軸線
【図１】
0003160434.tif 000003
【図２】
0003160434.tif 000004
【図３】
0003160434.tif 000005
【図４】
0003160434.tif 000006
【図５】
0003160434.tif 000007
【図６】
0003160434.tif 000008
【図７】
0003160434.tif 000009
【図８】
0003160434.tif 000010
【図９】
0003160434.tif 000011
【図１０】
0003160434.tif 000012
【図１１】
0003160434.tif 000013
【図１２】
0003160434.tif 000014
【図１３】
0003160434.tif 000015